(57)【要約】      （修正有）【課題】簡素な構造で手軽に携帯することができる書類収納具を提供する。【解決手段】四角形状の表シート１と裏シート２が重合され、左縁３において任意の手段にて接続され、表シートと裏シートが上縁５および下縁６の双方または一方において任意の手段かつ任意の幅にて部分的に接続され、このとき、上縁における表シートと裏シートの部分的な接続は左縁と上縁の交点と上縁の中央点に挟まれる区間内の任意の箇所にて行われ、また、下縁における表シートと裏シートの部分的な接続は左縁と下縁の交点と下縁の中央点に挟まれる区間内の任意の箇所にて行われ、そして、左縁が閉鎖縁とされ、右縁が開放縁とされ、上縁および下縁が半開放縁または開放縁とされ、表シートと裏シートの間に形成されるポケット部１７が書類等の収納箇所とされ、表シートと裏シートの右縁寄りの部分が開閉自在とされ、開放縁と半開放縁の開放部が書類等の出し入れ口とされる。【選択図】図１
2017024417.tif 000002
【特許請求の範囲】
【請求項１】
プラスチックシート等の柔軟な素材よりなる四角形状の表シートと裏シートが重合され、かつ、表シートと裏シートが任意の一縁すなわち接続縁において任意の手段にて接続され（以降、接続縁を左縁と呼称し、他の三縁をそれらの位置によりそれぞれ右縁、上縁、下縁と呼称する）、かつ、表シートと裏シートが上縁および下縁の双方または一方において任意の手段かつ任意の幅にて部分的に接続され、このとき、上縁における表シートと裏シートの部分的な接続は左縁と上縁の交点と上縁の中央点に挟まれる区間内の任意の箇所にて行われ、また、下縁における表シートと裏シートの部分的な接続は左縁と下縁の交点と下縁の中央点に挟まれる区間内の任意の箇所にて行われることを特徴とする書類収納具。
【請求項２】
プラスチックシート等の柔軟な素材よりなる任意の形状のガードが表シートの右縁および裏シートの右縁の双方または一方に任意の手段にて接続され、かつ、ガードが表シートと裏シートに重合されることを特徴とする請求項１に記載の書類収納具。
【請求項３】
繰り返し使用することができる接着剤を用いたテープが上縁または下縁における表シートと裏シートの部分的な接続の手段とされることを特徴とする請求項１または２に記載の書類収納具。
【請求項４】
任意の形状かつ任意の個数の切欠部が表シートの右縁および裏シートの右縁の双方または一方に設けられることを特徴とする請求項１または２または３に記載の書類収納具。
【請求項５】
任意の形状かつ任意の個数の突出部が表シートの右縁および裏シートの右縁の双方または一方に設けられることを特徴とする請求項１または２または３または４に記載の書類収納具。
【発明の詳細な説明】
【技術分野】
【０００１】  本発明は、簡素な構造で手軽に携帯することができる書類収納具に関する。
【背景技術】
【０００２】  斯かる書類収納具にあってはクリアホルダーが定番化した文房具として広く普及している。ここでいうクリアホルダーとは、長方形状のプラスチックシートが縦方向中央部に引かれた中央線を折り目として二つ折りにされ（以降、折り目とされる縁を左縁と呼称し、他の三縁をそれらの位置により右縁、上縁、下縁と呼称し、また、中央線により二分されるプラスチックシートのうち一方を表シート、他方を裏シートと呼称する）、表シートと裏シートが下縁において溶着にて接続され、そして、左縁と下縁が閉鎖縁とされ、右縁と上縁が開放縁とされ、表シートと裏シートの間に形成されるポケット部が書類等の収納箇所とされ、表シートと裏シートの右上側の部分が開閉自在とされ、開放縁が書類等の出し入れ口とされることを特徴とする書類収納具を指すものである。【０００３】  クリアホルダーの長所は、書類等の収納および取出しの円滑性に優れること、携帯性に優れることなどである。一方、クリアホルダーの短所は、収納する書類等の外部へのはみ出し、脱落が起こりがちであること、すなわち、書類等の収納の安定性に劣ることなどである。
【発明の概要】
【発明が解決しようとする課題】
【０００４】  本発明の目的は、クリアホルダーの長所を伸長し、短所を改善し、新たな特性を付加し、利便性に一層優れる書類収納具を提供することである。本発明は、この目的を達成するため、クリアホルダーとは別の構造を有する新たな書類収納具を提案するものである。そして、この新たな書類収納具は、以下に示す五つの課題を解決しようとするものである。すなわち、第一の課題は、クリアホルダーに較べ書類等の収納および取出しの円滑性に優れること、第二の課題は、クリアホルダーに較べ携帯性に優れること、第三の課題は、クリアホルダーに較べ書類等の収納の安定性に優れること、第四の課題は、クリアホルダーにはない多様性という特性を備えること（ここでいう多様性の意味については後述する）、第五の課題は、クリアホルダーにはない融通性という特性を備えること（ここでいう融通性の意味については後述する）である。さらに、この新たな書類収納具を提案するにあたっては、これが簡素な構造になるように努める。
【課題を解決するための手段】
【０００５】  請求項１に記載の発明は、第一の課題、第二の課題、第四の課題を解決するための手段であり、以下に示す特徴を有する。すなわち、請求項１に記載の発明は、プラスチックシート等の柔軟な素材よりなる四角形状の表シートと裏シートが重合され、かつ、表シートと裏シートが任意の一縁すなわち接続縁において任意の手段にて接続され（以降、接続縁を左縁と呼称し、他の三縁をそれらの位置によりそれぞれ右縁、上縁、下縁と呼称する）、かつ、表シートと裏シートが上縁および下縁の双方または一方において任意の手段かつ任意の幅にて部分的に接続され、このとき、上縁における表シートと裏シートの部分的な接続は左縁と上縁の交点と上縁の中央点に挟まれる区間内の任意の箇所にて行われ、また、下縁における表シートと裏シートの部分的な接続は左縁と下縁の交点と下縁の中央点に挟まれる区間内の任意の箇所にて行われ、そして、左縁が閉鎖縁とされ、右縁が開放縁とされ、上縁および下縁が半開放縁または開放縁とされ、表シートと裏シートの間に形成されるポケット部が書類等の収納箇所とされ、表シートと裏シートの右縁寄りの部分が開閉自在とされ、開放縁と半開放縁の開放部が書類等の出し入れ口とされることを特徴とする書類収納具である。【０００６】  請求項２に記載の発明は、第三の課題を解決するための手段であり、以下に示す特徴を有する。すなわち、請求項２に記載の発明は、請求項１に記載の要件に加え、プラスチックシート等の柔軟な素材よりなる任意の形状のガードが表シートの右縁および裏シートの右縁の双方または一方に任意の手段にて接続され、かつ、ガードが表シートと裏シートに重合されることを特徴とする書類収納具である。【０００７】  請求項３に記載の発明は、第五の課題を解決するための手段であり、以下に示す特徴を有する。すなわち、請求項３に記載の発明は、請求項１または２に記載の要件に加え、繰り返し使用することができる接着剤を用いたテープが上縁または下縁における表シートと裏シートの部分的な接続の手段とされることを特徴とする書類収納具である。【０００８】  請求項４に記載の発明は、書類等の収納および取り出しの円滑性のさらなる向上を図るための手段であり、以下に示す特徴を有する。すなわち、請求項４に記載の発明は、請求項１または２または３に記載の要件に加え、任意の形状かつ任意の個数の切欠部が表シートの右縁および裏シートの右縁の双方または一方に設けられることを特徴とする書類収納具である。【０００９】  請求項５に記載の発明は、書類等の収納および取り出しの円滑性のさらなる向上を図るための手段であり、以下に示す特徴を有する。すなわち、請求項５に記載の発明は、請求項１または２または３または４に記載の要件に加え、任意の形状かつ任意の個数の突出部が表シートの右縁および裏シートの右縁の双方または一方に設けられることを特徴とする書類収納具である。
【発明の効果】
【００１０】  請求項１に記載の書類収納具は、クリアホルダーにはない多様性という特性を備える書類収納具である。ここでいう多様性とは、上縁または下縁における表シートと裏シートの部分的な接続の箇所および有無を様々に変化させることにより、様々な書類収納具を作り出すことができるという意味である。そして、これらの書類収納具は、それぞれ固有の「接続箇所由来の特徴」を有するものである。「接続箇所由来の特徴」とは、前記の部分的な接続の箇所および有無が異なることに由来する特徴のことであり、例えば、前記の部分的な接続が左縁に近い箇所において行われた場合には、表シートと裏シートの開閉自在な部分の面積が広くなるので、「接続箇所由来の特徴」は書類等の収納および取出しの円滑性に優れるというものになる。また、前記の部分的な接続が上縁または下縁の中央点に近い箇所において行われた場合には、ポケット部の奥行きが深くなるので、「接続箇所由来の特徴」は書類等の収納の安定性に優れるというものになる。また、前記の部分的な接続が上縁または下縁において行われなかった場合には、その縁は開放縁となるので、「接続箇所由来の特徴」は書類等の収納および取出しの円滑性に優れるというものになる。【００１１】  請求項１に記載の書類収納具は、クリアホルダーに較べ書類等の収納および取出しの円滑性に優れる書類収納具である。なぜなら、請求項１に記載の書類収納具は、同じサイズのクリアホルダーに較べて、表シートと裏シートの開閉自在な部分の面積が広く、かつ、書類等の出し入れ口の総延長が長いからである。ただし、例外も存在する（この例外については後述する）。【００１２】  請求項１に記載の書類収納具は、クリアホルダーに較べ携帯性に優れる書類収納具である。ここでいう携帯性に優れるとは、クリアホルダーは、筒状に丸めて携帯することができないが、請求項１に記載の書類収納具は、筒状に丸めて携帯することができるという意味である。請求項１に記載の書類収納具は、筒状に丸めて携帯することにより、コンパクトな状態で携帯することができるとともに、収納する書類等の外部へのはみ出し、脱落に対する心配をすることなく携帯することができる。一方、クリアホルダーは、筒状に丸めて携帯することができないので、コンパクトな状態で携帯することができないだけでなく、携帯時には収納する書類等の外部へのはみ出し、脱落が起こらないように気をつけなければならない。【００１３】  請求項２に記載の書類収納具は、クリアホルダーに較べ書類等の収納の安定性に優れる書類収納具である。なぜなら、請求項２に記載の書類収納具においては、請求項２に記載するようにガードが接続されており、このガードは、収納する書類等をしっかりと包み込むという働きをするからである。一方、クリアホルダーは、このようなガードを持たないので、書類等の収納の安定性に劣る。【００１４】  請求項３に記載の書類収納具は、クリアホルダーにはない融通性という特性を備える書類収納具である。ここでいう融通性とは、利用者の任意によって、上縁または下縁における表シートと裏シートの部分的な接続の箇所および有無を自由自在に変更し、書類収納具の「接続箇所由来の特徴」を時々の要望に合致したもの��変更することができるという意味である。この融通性は、上縁または下縁における表シートと裏シートの部分的な接続の手段が繰り返し使用することができる接着剤を用いたテープであることによりもたらされる。【００１５】  請求項４に記載の書類収納具は、書類等の収納および取出しの円滑性により一層優れる書類収納具である。なぜなら、請求項４に記載の書類収納具においては、請求項４に記載するように切欠部が設けられており、この切欠部は、利用者の指先が収納する書類等に掛かりやすくするという働きをするからである。【００１６】  請求項５に記載の書類収納具は、書類等の収納および取出しの円滑性により一層優れる書類収納具である。なぜなら、請求項５に記載の書類収納具においては、請求項５に記載するように突出部が設けられており、この突出部は、利用者の指先が表シートあるいは裏シートに掛かりやすくするという働きをするからである。また、この突出部は、見出し等を設ける箇所としても利用することもできる。
【図面の簡単な説明】
【００１７】
【図１】  実施例１（請求項１に記載の発明の実施例）の斜視図である。
【図２】  実施例１〜５（請求項１に記載の発明の実施例）の正面図である。
【図３】  実施例６（請求項１に記載の発明の実施例）の斜視図である。
【図４】  実施例７（請求項２に記載の発明の実施例）の斜視図である。
【図５】  実施例８（請求項２に記載の発明の実施例）の斜視図である。
【図６】  実施例９（請求項３に記載の発明の実施例）の正面図である。
【図７】  実施例１０（請求項４、５に記載の発明の実施例）の正面図である。
【図８】  実施例１１（請求項１〜５に記載の発明のすべての要件を盛り込んだ実施例）の斜視図である。
【発明を実施するための形態】
【実施例】
【００１８】  請求項１に記載の書類収納具について、実施例１、図１に基づいて説明する。実施例１（サイズはＡ４）は、請求項１に記載の書類収納具の実施例であり、図１は、実施例１の斜視図である。実施例１の主材料は、長方形のプラスチック製のシート（横４４ｃｍ、縦３１ｃｍ）である。まず、このシートが二つ折りにされ、次に、表シート１と裏シート２が上縁の接続部９および下縁の接続部１４において溶着にて部分的に接続される。そして、左縁３が閉鎖縁とされ、右縁４が開放縁とされ、上縁５と下縁６が半開放縁とされ、表シート１と裏シート２の間に形成されるポケット部１７が書類等の収納箇所とされ、表シート１と裏シート２の右縁４寄りの部分が開閉自在とされ、右縁４と上縁の開放部１０と下縁の開放部１５が書類等の出し入れ口とされる。【００１９】  請求項１に記載の書類収納具は、前述したように、クリアホルダーにはない多様性という特性を備える書類収納具である。この多様性について、実施例１〜５、図２、表１に基づいて説明する。実施例１〜５（サイズはＡ４）は、請求項１に記載の書類収納具の実施例であり、図２は、実施例１〜５の正面図であり、表１は、実施例１〜５の上縁の接続部９の幅などの具体的な数値を示したものである。請求項１に記載の書類収納具においては、上縁の接続部９は、左縁と上縁の交点７と上縁の中央点８に挟まれる区間内の任意の箇所に設けられ、下縁の接続部１４は、左縁と下縁の交点１２と下縁の中央点１３に挟まれる区間内の任意の箇所に設けられる。実施例１〜５においては、上縁の接続部９および下縁の接続部１４の箇所および有無がそれぞれ異なり、したがって、「接続箇所由来の特徴」もそれぞれ異なる。【００２０】
【表１】
2017024417.tif 000003
【００２１】  実施例１は、図２の（１）、表１に示すように、ポケット部１７の上縁５側および下縁６側の奥行きが７ｃｍ、上縁の開放部１０および下縁の開放部１５の幅が１５ｃｍという構成である。実施例１は、書類等の収納および取出しの円滑性と書類等の収納の安定性のバランスに優れるという「接続箇所由来の特徴」を有する。したがって、実施例１に対してはバランス型もしくは標準型という位置づけがなされる。【００２２】  実施例２は、図２の（２）、表１に示すように、ポケット部１７の上縁５側および下縁６側の奥行きが１１ｃｍ、上縁の開放部１０および下縁の開放部１５の幅が１１ｃｍという構成である。実施例２は、実施例１に較べ書類等の収納の安定性に優れるが、一方で実施例１に較べ書類等の収納および取出しの円滑性には劣るという「接続箇所由来の特徴」を有する。【００２３】  実施例３は、図２の（３）、表１に示すように、ポケット部１７の上縁５側および下縁６側の奥行きが２ｃｍ、上縁の開放部１０および下縁の開放部１５の幅が２０ｃｍという構成である。実施例３は、書類等の収納および取出しの円滑性に優れるという「接続箇所由来の特徴」を有するが、ポケット部１７の奥行きが極端に浅いので、一見すると実用性に乏しいように見える。しかし、実施例３には、収納する書類等を左縁３の外側から手指で挟んで表シート１と裏シート２を外側に開くと、収納する書類等を書類収納具に収納したままの状態で閲覧できるという長所が存在する。収納する書類のサイズをＡ４に限定するという使い方をすれば、この長所を生かすことができる。【００２４】  実施例４は、図２の（４）、表１に示すように、上縁の接続部９の箇所が実施例１と同様、下縁の接続部１４の箇所が実施例２と同様という構成である。したがって、実施例４は、実施例１と実施例２の中間的な「接続箇所由来の特徴」を有する。【００２５】  実施例５は、図２の（５）、表１に示すように、上縁５において表シート１と裏シート２の部分的な接続が行われず、下縁の接続部１４の箇所が実施例２と同様という構成である。実施例５は、上縁５が開放縁になるので、クリアホルダーに似た「接続箇所由来の特徴」を有する。【００２６】  請求項１に記載の書類収納具は、前述したように、クリアホルダーに較べ書類等の収納および取出しの円滑性に優れる書類収納具である。この円滑性について、実施例１〜５、表２に基づいて説明する。表２は、実施例１〜５の表シート１と裏シート２の開閉自在な部分の面積、書類等の出し入れ口の総延長などの数値を示したものである。さらに、参考としてクリアホルダー（サイズはＡ４）の数値も示している。実施例１、３〜５は、クリアホルダーに較べて、表シート１と裏シート２の開閉自在な部分の面積が広く、かつ、書類等の出し入れ口の総延長が長い。したがって、実施例１、３〜５は、クリアホルダーに較べ書類等の収納および取出しの円滑性に優れるということができる。ただし、実施例２は、上記の数値に関してクリアホルダーと同等となる。したがって、実施例２は、例外となるものである。【００２７】
【表２】
2017024417.tif 000004
【００２８】  請求項１に記載の書類収納具は、前述したように、クリアホルダーよりも携帯性に優れる書類収納具である。ここでいう携帯性に優れるとは、クリアホルダーは、筒状に丸めて携帯することができないが、請求項１に記載の書類収納具は、筒状に丸めて携帯することができるという意味である。筒状に丸めるとは、上縁５および下縁６を湾曲させて、左縁３と右縁４を接近もしくは接触させた状態をいう。請求項１に記載の書類収納具が筒状に丸められるのは、請求項１に記載の書類収納具においては上縁５または下縁６における表シート１と裏シート２の接続が部分的に行われ、したがって、これを筒状に丸めたとしても、表シート１と裏シート２の間にヨレが発生しないからである。一方、クリアホルダーは、筒状に丸めることができない。なぜなら、クリアホルダーにおいては表シート１と裏シート２の接続が下縁において全体的に行われ、したがって、これを筒状に丸めると、表シートと裏シートの間にヨレが発生するからである。特に、書類等を収納している場合においては、このヨレは大きなものになる。なお、上縁の接続部９、下縁の接続部１４の幅は、狭ければ狭いほど望ましいものである。なぜなら、この幅が狭ければ狭いほど、請求項１に記載の書類収納具を容易に筒状に丸められるからである。ただし、十分な強度が確保される幅は必要である。【００２９】  請求項１に記載の書類収納具の別の実施例について、実施例６、図３に基づいて説明する。実施例６（サイズはＡ４）は、請求項１に記載の書類収納具の実施例であり、図３は、実施例６の斜視図である。実施例６の主材料は、プラスチック製の同じサイズの二枚のシート（横２２ｃｍ、縦３１ｃｍ）であり、一方が表シート１になり、他方が裏シート２になる。まず、表シート１と裏シート２が重合されて左縁３において溶着にて接続される。次に、表シート１と裏シート２が上縁の接続部９および下縁の接続部１４において溶着にて部分的に接続される。以上が実施例６の構成である。実施例６は、以下に示す長所を持つ。その長所とは、溶着にて接続された部分すなわち左縁３の内面側において、収納する書類等を挟み付けるという作用が発生することである。これは、書類等の収納の安定性の向上に少なからず貢献するものである。【００３０】  請求項２に記載の書類収納具について、実施例７、図４に基づいて説明する。実施例７（サイズはＡ４）は、請求項２に記載の書類収納具の実施例であり、図４は、実施例７の斜視図である。実施例７の主材料は、柔軟なプラスチック製のシート（横５４ｃｍ、縦３１ｃｍ）である。まず、このシートが巻き三つ折りにされ、次に、表シート１と裏シート２が上縁の接続部９および下縁の接続部１４において溶着にて部分的に接続され、ガード１８が表シート１と裏シート２の間に重合される。以上が実施例７の構成である。【００３１】  請求項２に記載の書類収納具は、前述したように、クリアホルダーに較べ書類等の収納の安定性に優れる書類収納具である。この安定性について、実施例７、図４に基づいて説明する。実施例７は、図４に示すように、裏シート２の右縁４にガード１８が接続されている。このガード１８で書類等を包み込むようにして収納すれば、収納する���類等の外部へのはみ出し、脱落を防ぐことができる。しかも、ガード１８は表シート１と裏シート２の間に重合されているので、表シート１とガード１８による相乗的な作用（ガード１８が書類等にかぶって書類等を押さえ、表シート１がガード１８にかぶってガード１８を押さえる）によって、書類等の収納の安定性がより一層向上する。【００３２】  請求項２に記載の書類収納具の別の実施例について、実施例８、図５に基づいて説明する。実施例８（サイズはＡ４）は、請求項２に記載の書類収納具の実施例であり、図５は、実施例８の斜視図である。実施例８の主材料は、プラスチック製の異なるサイズ三枚のシートである。それぞれのシートのサイズは、一枚目のシートが横２１ｃｍ、縦３１ｃｍ、二枚目のシートが横２２ｃｍ、縦３１ｃｍ、三枚目のシートが横１０ｃｍ、縦３１ｃｍである。一枚目のシートは表シート１になり、二枚目のシートは裏シート２になり、三枚目のシートはガード１８になる。まず、表シート１と裏シート２が重合されて、左縁３において溶着にて接続され、次に、ガード１８が表シート１と裏シート２に重合されて、裏シート２の右縁４において溶着にて接続される。さらに、表シート１と裏シート２が上縁の接続部９および下縁の接続部１４において溶着にて部分的に接続される。以上が実施例８の構成である。実施例８は、以下に示す長所を持つ。その長所とは、溶着にて接続された部分すなわち左縁３および右縁４の内面側において、収納する書類等を挟み付けるという作用が発生することである。これは、書類等の収納の安定性の向上に少なからず貢献するものである。また、実施例８においては、表シート１の横幅を裏シート２より１ｃｍ短くしているので、表シート１の右縁４側を裏シート２とガード１８との間に挿入することができる。このようにした場合においては、前述した長所によって、表シート１の右縁４側が裏シート２とガード１８によって挟み付けられることなるので、書類等の収納の安定性がより一層向上する。【００３３】  請求項３に記載の書類収納具について、実施例９、図６に基づいて説明する。実施例９（サイズはＡ４）は、請求項３に記載の書類収納具の実施例であり、図６は、実施例９の正面図である。実施例９においては、上縁の接続部９および下縁の接続部１４における表シート１と裏シート２の部分的な接続の手段が繰り返し使用することができる接着剤を用いたテープ１９である。そして、このテープ１９以外は実施例１と同様である。【００３４】  請求項３に記載の書類収納具は、前述したように、クリアホルダーにはない融通性という特性を備える書類収納具である。この融通性について、実施例９、図６に基づいて説明する。実施例９においては、上縁の接続部９および下縁の接続部１４における表シート１と裏シート２の部分的な接続の手段は繰り返し使用することができる接着剤を用いたテープ１９である。したがって、利用者は、このテープ１９を別の箇所に貼り直して、書類収納具の「接続箇所由来の特徴」を時々の要望に合致したものに変更することができる。【００３５】  請求項４、５に記載の書類収納具は、前述したように、書類等の収納および取出しの円滑性のさらなる向上を図った書類収納具である。��の円滑性について、実施例１０、図７に基づいて説明する。実施例１０（サイズはＡ４）は、請求項４、５に記載の書類収納具の実施例であり、図７は、実施例１０の正面図である。実施例１０においては、切欠部２０が表シート１の右縁４および裏シート２の右縁４に設けられている。切欠部２０は、利用者の指先が収納する書類等に掛かりやすくするという働きをする。したがって、書類等の収納および取出しの円滑性がより一層向上する。さらに、実施例１０においては、突出部２１が表シート１の右縁４および裏シート２の右縁４に設けられている。突出部２１は、利用者の指先が表シート１および裏シート２に掛かりやすくするという働きをする。したがって、書類等の収納および取出しの円滑性がより一層向上する。また、この突出部２１は、見出し等を設ける箇所として利用することもできる。一般的に言って、書類収納具においては収納する書類等の内容を的確に示す見出し等を表示することが望ましい。この突出部２１は、見出し等を設けるのに最適な箇所を提供する。【００３６】  図８に示す実施例１１（サイズはＡ４）は、請求項１〜５に記載の発明のすべての要件を盛り込んだ書類収納具の実施例である。この実施例１１は、裏シート２の右縁４にガード１８が接続され、上縁の接続部９および下縁の接続部１４における接続の手段が繰り返し使用することができる接着剤を用いたテープ１９とされ、表シート１の右縁４に切欠部２０、突出部２１が設けられている。【００３７】  以上、本発明の書類収納具について詳細に記述してきたが、若干の補足説明を付け加える。本発明の書類収納具の素材は、実施例１〜１１においては柔軟なプラスチックシートとしたが、例えば、厚紙や和紙などの紙類、紙類とプラスチックの混合物などであってもよい。本発明の書類収納具のサイズは、実施例１〜１１においてはＡ４としたが、例えば、Ｂ４、Ａ５あるいは変則的なサイズであってもよい。ガード１８の形状は、実施例１〜１１においては長方形としたが、例えば、半円形、富士山形などであってもよい。【００３８】  ところで、小サイズの書類等（上縁の開放部１０などの隙間からすり抜ける程の小サイズの書類等）は、本発明の書類収納具に安定的に収納することはできない。しかし、以下に示す方策を講じることにより、小サイズの書類等も本発明の書類収納具に安定的に収納することができるようになる。その方策とは、封筒状の袋を別途用意し、まず、小サイズの書類等を封筒状の袋に収納し、次に、封筒状の袋を袋ごと本発明の書類収納具に収納するというものである。この方策においては、小サイズの書類等と大サイズの書類等が分別されることになるので、小サイズの書類等が大サイズの書類等に紛れるという不都合も回避することができる。封筒状の袋のサイズについては、上縁の開放部１０、下縁の開放部１５などの隙間をすり拔けない程度の大きさを有することが望ましく、また、封筒状の袋の出し入れ口付近のフラップについては、ガードを有する書類収納具においてはこれがない方が望ましく、ガードを有さない書類収納具においてはこれがあった方が望ましい。
【符号の説明】
【００３９】  １    表シート
２    裏シート
３    左縁
４    右縁
５    上縁
６    下縁
７    左縁と上縁の交点
８    上縁の中央点
９    上縁の接続部
１０    上縁の開放部
１１    上縁の間隙部
１２    左縁と下縁の交点
１３    下縁の中央点
１４    下縁の接続部
１５    下縁の開放部
１６    下縁の間隙部
１７    ポケット部
１８    ガード
１９    繰り返し使用することができる接着剤を用いたテープ
２０    切欠部
２１    突出部
【図１】
2017024417.tif 000005
【図２】
2017024417.tif 000006
【図３】
2017024417.tif 000007
【図４】
2017024417.tif 000008
【図５】
2017024417.tif 000009
【図６】
2017024417.tif 000010
【図７】
2017024417.tif 000011
【図８】
2017024417.tif 000012